(57)【要約】【課題】一様な周方向の締付けを実現する強化された周方向補剛要素を有するカップリングを提供すること。【解決手段】パイプカップリングは、２つの対向するクランプ部材が設けられた端部を有する環状のクランプハウジングを含む。１つまたは複数の締付け要素は、半径方向内向きのクランプ力を環状のクランプハウジング内にクランプ締めされるパイプに加えるように、クランプ部材を互いの方へ環状のクランプハウジングの軸方向長さに対して横方向に締め付けるために提供される。環状シールは、環状のクランプハウジング内に取り付けられる。環状のクランプハウジングは、１つまたは複数の強化された周方向補剛要素を含む。【選択図】図１
2015148341.tif 000002
【特許請求の範囲】
【請求項１】
パイプカップリングにおいて、
環状のクランプハウジングであって、２つの対向するクランプ部材が設けられた端部を有し、半径方向内向きのクランプ力を環状のクランプハウジング内にクランプ締めされるパイプに加えるように、前記クランプ部材を互いの方へ前記環状のクランプハウジングの軸方向長さに対して横方向に締め付けるための１つまたは複数の締付け要素を備えた、前記環状のクランプハウジングと、
前記環状のクランプハウジング内に取り付けられた環状シールとを備え、
前記環状のクランプハウジングが１つまたは複数の強化された周方向補剛要素を備えた、パイプカップリング。
【請求項２】
前記１つまたは複数の強化された周方向補剛要素が、前記１つまたは複数の締付け要素が締め付けられるときに、前記カップリングを周方向に一様に締め付けるように構成された、請求項１に記載のパイプカップリング。
【請求項３】
前記１つまたは複数の強化された周方向補剛要素が、前記環状のクランプハウジングを構成する１つまたは複数の周方向の壁を備え、前記１つまたは複数の壁が一様でない幅を有する、請求項１に記載のパイプカップリング。
【請求項４】
周方向のチャネルによって互いに隔てられた一対の前記周方向の壁を備える、請求項３に記載のパイプカップリング。
【請求項５】
前記１つまたは複数の壁が、前記カップリングの頂部近くで最も広く、前記カップリングの底部で最も狭く、前記１つまたは複数の壁の幅は前記頂部から前記底部まで一様に変化する、請求項３に記載のパイプカップリング。
【請求項６】
前記１つまたは複数の強化された周方向補剛要素が、一様でない幅を有する環状の補剛リブを備える、請求項１に記載のパイプカップリング。
【請求項７】
前記環状の補剛リブの幅が、前記カップリングの頂部近くでは最も広く、前記リブが周方向に下方に延びるのに従って、次第に幅が細くまたはゼロになる、請求項６に記載のパイプカップリング。
【請求項８】
前記１つまたは複数の強化された周方向補剛要素が、少なくとも１８０°の範囲の円弧を引き寄せる、請求項１に記載のパイプカップリング。
【発明の詳細な説明】
【技術分野】
【０００１】
本発明は一般に、パイプ用のカップリング（またはクランプ）およびグリップリングに関し、詳細には、周方向に一様に締め付けるカップリングに関する。
【背景技術】
【０００２】
多くの種類の取り外し可能なカップリングは、パイプに対して水密シールを形成するように締め付けられる弾性シール組立体を有する。本明細書および特許請求の範囲全体を通して、用語「パイプ」はすべての種類の概ね円筒状の物体を含むことに留意されたい。カップリングは一般に、クランプ締めする突起部を有する部分的なリングであり、突起部に取り付けられた１つまたは複数のボルトによって互いの方へ引っ張られる。ボルトを締め付けることによって、カップリングの直径全体は小さくなり、それによって、カップリングはパイプの周囲を締め付けて所望の水密シールを実現する。突起部は一般に、カップリングの頂部、すなわち１２時の位置にある。
【０００３】
パイプの周囲全体の周りに一様に締まったシールを形成することは重要である。しかしながら、そのようなカップリングは一般に、鋼鉄などの強固な材料から作製されるので、突起部の領域（カップリングの残りの部分より剛性が低い）は、カップリングの残りの部分、特に突起部から１８０°（６時の位置）の部分よりも強く締め付けられる。さらに悪いことに、カップリングの一様でない締付けによって、突起部の領域はパイプに食い込む可能性がある。これはパイプを傷つけ、またカップリングをさらに締め付けるのを妨げる可能性がある。
【発明の概要】
【発明が解決しようとする課題】
【０００４】
本発明は、以下に、より詳細に説明するように、従来技術の上述の問題を解決する改良されたカップリングを提供しようとするものである。従来技術とは異なり、本発明のカップリングは、一様な周方向の締付けを実現する強化された周方向補剛要素を有する。
【課題を解決するための手段】
【０００５】
従来技術では、カップリングを締め付ける締結具は、カップリングの限られた円弧の長さ、例えば１１時の位置から１時の位置の範囲の円弧の周りに対しては効力がある。本発明では、強化された周方向補剛要素は、カップリングの十分に長い円弧長さ、例えば８時または９時の位置から３時または４時の位置までの範囲の円弧（すなわち少なくとも１８０°の範囲の円弧）の周りを引き寄せることによって締付け効果を増大させる。
【０００６】
したがって、２つの対向するクランプ部材が設けられた端部を有し、半径方向内向きのクランプ力を環状のクランプハウジング内にクランプ締めされるパイプに加えるように、クランプ部材を互いの方へ環状のクランプハウジングの軸方向長さに対して横方向に締め付けるための１つまたは複数の締付け要素を含む環状のクランプハウジングと、環状のクランプハウジング内に取り付けられた環状シールとを含むパイプカップリングであって、環状のクランプハウジングが１つまたは複数の強化された周方向補剛要素を含む、パイプカップリングが本発明の実施形態に従って提供される。
【０００７】
本発明の実施形態によれば、１つまたは複数の強化された周方向補剛要素が、１つまたは複数の締付け要素が締め付けられるときに、カップリングを周方向に一様に締め付けるように構成される。
【０００８】
本発明の実施形態によれば、１つまたは複数の強化された周方向補剛要素が、環状のクランプハウジングを構成する１つまたは複数の周方向の壁を含み、１つまたは複数の壁が一様でない幅を有する。
【０００９】
本発明の実施形態によれば、一対の周方向の壁が、周方向のチャネルによって互いに隔てられる。
【００１０】
本発明の実施形態によれば、１つまたは複数の壁が、カップリングの頂部近くで最も広く、カップリングの底部で最も狭く、１つまたは複数の壁の幅は頂部から底部まで一様に変化する。
【００１１】
本発明の実施形態によれば、１つまたは複数の強化された周方向補剛要素が、一様でない幅を有する環状の補剛リブを含む。
【００１２】
本発明の実施形態によれば、環状の補剛リブの幅が、カップリングの頂部近くでは最も広く、リブが周方向に下方に延びるのに従って、次第に幅が細くまたはゼロになる。
【００１３】
本発明は、図面と併せて以下の詳細な説明からより完全に理解し認識されるであろう。
【図面の簡単な説明】
【００１４】
【図１】本発明の非限定的な実施形態に従って構成されて作動するパイプカップリングの概略斜視図である。
【図２】本発明の非限定的な実施形態に従って構成されて作動するパイプカップリングの概略端面図である。
【図３】本発明の実施形態による、強化された周方向補剛要素を有するカップリング部材の概略斜視図である。
【図４】本発明の実施形態による、強化された周方向補剛要素を有するカップリング部材の概略斜視図である。
【図５】本発明の実施形態による、強化された周方向補剛要素を有するカップリング部材の概略斜視図である。
【図６】本発明の実施形態による、パイプカップリングとフランジの組立体の概略斜視図である。
【発明を実施するための形態】
【００１５】
ここで、本発明の非限定的な実施形態に従って構成されて作動するパイプカップリング１０を示す図１および２を参照する。
【００１６】
パイプカップリング１０は、典型的には、限定するものではないが、ステンレス鋼などの可撓性の金属よりなる１つまたは複数の環状のクランプハウジング１２を有する円筒状の本体１１を含む。図１に図示された実施形態は、本体１１の両側に一対の環状のクランプハウジング１２を有する。図６に示された実施形態は、本体１１の一端に１つの環状のクランプハウジング１２および他端にフランジ１４を有する。環状のクランプハウジング１２は、様々な直径のパイプ（図示せず）に対してシールするように構成される。（例えば、一対の環状のクランプハウジング１２が、同じ直径または異なる直径のパイプに対してクランプ締めするために使用することができる。）
環状のクランプハウジング１２には、パイプで運ばれる流体に適合する、限定はしないが、ゴム（例えば、ＥＰＤＭ（ｅｔｈｙｌｅｎｅ  ｐｒｏｐｙｌｅｎｅ  ｄｉｅｎｅ  ｍｏｎｏｍｅｒ：エチレンプロピレンジエンモノマー）、ブチル、スチレンブタジエン、またはネオプレン）、または熱可塑性エラストマ（例えば、ポリウレタンまたはオレフィン）から作製することができる環状シール１６が設けられる。例えば、限定はしないが、シール１６は、７０〜８０のショアＡデュロメータ硬さのＥＰＤＭゴムより作製することができる。
【００１７】
環状のクランプハウジング１２の端部には、２つの対向するクランプ部材１８が設けられる。１つまたは複数の締付け要素１９（例えば、ボルトまたはネジ、および締付けナットなどの１つまたは複数の機械的な締結具、ならびに場合によって座金）は、半径方向内向きのクランプ力をシール１６およびクランプ締めされるパイプに加えるように、クランプ部材１８を締結し互いの方へ環状のクランプハウジング１２の軸方向長さに対して横方向に締め付け、それによって、パイプの水密シールを果たす。
【００１８】
本発明の実施形態によれば、環状のクランプハウジング１２は、１つまたは複数の強化された周方向補剛要素を含む。強化された周方向補剛要素の１つの種類としては、ハウジング１２を構成する１つまたは複数の周方向の壁２０である（図示の実施形態では、周方向のチャネル２２によって隔てられた２つのそのような壁２０を有する）。壁２０の幅（カップリングの長手方向の軸線に対して横方向のカップリングの半径方向で測った幅）は一様ではない。例えば、これらの壁はカップリングの頂部近くで最も広く、カップリングの底部で最も狭くし、その幅は頂部から底部まで一様に変化する。ハウジングの頂部を比較的剛性を高くし、ハウジングの底部を比較的剛性を低くすることによって、環状のクランプハウジング１２はその周囲全体の周りで一様な剛性をもち、従来技術の問題を解決する。
【００１９】
図１に示された実施形態では、各環状のクランプハウジング１２は、開口２５（図３）を貫通する１つまたは複数の締結具２４によってカップリングの底部で互いに締結された一対のカップリング部材１２Ａおよび１２Ｂを含む。あるいは、環状のクランプハウジング１２は一体構造にすることができる。
【００２０】
図３〜５は、カップリング部材１２Ａを示す（１２Ｂはその鏡像である）。本発明の別の実施形態によれば、環状のクランプハウジング１２はまた、強化された周方向補剛要素２６を含む。例えば、カップリング部材１２Ａまたは１２Ｂは、概ね１２時の位置から３時または４時の位置に延在する、チャネル２２に配置された環状の補剛リブ２６を含むことができる。環状の補剛リブ２６の幅は一様でなくてもよく、頂部近くでは最も広くして、リブが周方向に下方に延びるのに従って、次第に幅が細くまたはゼロにすることができる。
（項目１）
パイプカップリングにおいて、
環状のクランプハウジングであって、２つの対向するクランプ部材が設けられた端部を有し、半径方向内向きのクランプ力を環状のクランプハウジング内にクランプ締めされるパイプに加えるように、前記クランプ部材を互いの方へ前記環状のクランプハウジングの軸方向長さに対して横方向に締め付けるための１つまたは複数の締付け要素を備えた、前記環状のクランプハウジングと、
前記環状のクランプハウジング内に取り付けられた環状シールとを備え、
前記環状のクランプハウジングが１つまたは複数の強化された周方向補剛要素を備えた、パイプカップリング。
（項目２）
前記１つまたは複数の強化された周方向補剛要素が、前記１つまたは複数の締付け要素が締め付けられるときに、前記カップリングを周方向に一様に締め付けるように構成された、項目１に記載のパイプカップリング。
（項目３）
前記１つまたは複数の強化された周方向補剛要素が、前記環状のクランプハウジングを構成する１つまたは複数の周方向の壁を備え、前記１つまたは複数の壁が一様でない幅を有する、項目１に記載のパイプカップリング。
（項目４）
周方向のチャネルによって互いに隔てられた一対の前記周方向の壁を備える、項目３に記載のパイプカップリング。
（項目５）
前記１つまたは複数の壁が、前記カップリングの頂部近くで最も広く、前記カップリングの底部で最も狭く、前記１つまたは複数の壁の幅は前記頂部から前記底部まで一様に変化する、項目３に記載のパイプカップリング。
（項目６）
前記１つまたは複数の強化された周方向補剛要素が、一様でない幅を有する環状の補剛リブを備える、項目１に記載のパイプカップリング。
（項目７）
前記環状の補剛リブの幅が、前記カップリングの頂部近くでは最も広く、前記リブが周方向に下方に延びるのに従って、次第に幅が細くまたはゼロになる、項目６に記載のパイプカップリング。
（項目８）
前記１つまたは複数の強化された周方向補剛要素が、少なくとも１８０°の範囲の円弧を引き寄せる、項目１に記載のパイプカップリング。
【符号の説明】
【００２１】
１０  パイプカップリング
１１  本体
１２  クランプハウジング
１２Ａ  カップリング部材
１２Ｂ  カップリング部材
１４  フランジ
１６  シール
１８  クランプ部材
１９  締付け要素
２０  壁
２２  チャネル
２４  締結具
２５  開口
２６  補剛リブ
【図１】
2015148341.tif 000003
【図２】
2015148341.tif 000004
【図３】
2015148341.tif 000005
【図４】
2015148341.tif 000006
【図５】
2015148341.tif 000007
【図６】
2015148341.tif 000008
【外国語明細書】
2015148341000001.pdf